(57)【特許請求の範囲】
【請求項１】
抽斗収納筐体の内側面に固定レールが設けられ、
抽斗の外側面に抽斗レールが設けられ、
前記固定レールと抽斗レールとを、該固定レールと抽斗レールとにそれぞれスライド可能とされた移動レールによって連結してなる抽斗のダブルサスペンション装置において、
前記抽斗レールが、略水平に伸びる水平部を有し、
前記移動レールが、前記抽斗を前記抽斗収納筐体から大きく前方へ引き出した位置において、前記水平部の後端部上方に位置する上ガイド部材と、該水平部の後端部下方に位置して上下方向に揺動自在とされた単品ブラケットの保持部材とを有し、
前記保持部材は、その揺動中心よりも前方位置において、前記固定レールの下方部に当接して該保持部材の所定以上の下方への揺動を規制するストッパ部を有し、
前記保持部材には、前記ストッパ部よりも前方位置において、前記上ガイド部材と共働して前記水平部を上下方向から挟持するための下ガイド部材が保持されている、
ことを特徴とする抽斗のダブルサスペンション装置。
【請求項２】
前記上ガイド部材とストッパ部と下ガイド部材とがそれぞれ、ローラにより構成されていることを特徴とする請求項１に記載の抽斗のダブルサスペンション装置。
【請求項３】
前記上ガイド部材が、前記抽斗レールの前後方向の移動に応じて前後方向に移動される遊びローラとされていることを特徴とする請求項１又は２記載の抽斗のダブルサスペンション装置。
【発明の詳細な説明】
【０００１】
【産業上の利用分野】
本発明は、抽斗を抽斗収納筐体から大きく前方へ引き出せるようにした抽斗のダブルサスペンション装置に関するものであり、より詳しくは、抽斗を大きく前方へ引き出したときに抽斗をガタつきなくしっかりと保持出来るようにした抽斗のダブルサスペンション装置に関する。
【０００２】
【従来の技術】
従来より、キャビネット、事務机等のスチ−ル家具においては、抽斗を抽斗収納筐体から大きく前方へ引き出せるようにするため、ダブルサスペンション装置（オ−バスライド機構と呼ばれることもある）を採用したものがある。このダブルサスペンション装置にあっては、実公昭５６−１２４２号公報に示すように、基本的に、抽斗収納筐体の内側面に固定レールが設けられ、抽斗の外側面に抽斗レールが設けられ、前記固定レールと抽斗レールとを、該固定レールと抽斗レールとにそれぞれスライド可能とされた移動レールによって連結してなる構造とされる。そして、抽斗レールには、略水平に伸びる水平部が形成されて、この水平部が、移動レールに複数設けられたローラ等のガイド部材によって滑らかに案内されるようになっている。
【０００３】
上述のようなダブルサスペンション装置にあっては、抽斗を大きく前方へ引き出した際、抽斗がしっかりと保持されるように、移動レールには、抽斗レールの水平部後端部を上下方向から挟持するための上下一対のローラを設けることが行なわれている。
【０００４】
【発明が解決しようとする課題】
しかしながら、前記上下一対のローラは、回転可能ではあるが、上下方向の距離が一定不変状態で移動レールに取付けられている一方、製作上の寸法誤差や、抽斗レールの水平部を上下一対のローラ間に挿入可能にする等のため、当該上下一対のローラ間の上下方向距離は、抽斗レールの水平部の厚さよりもかなり大きいものとなる。この結果、抽斗を大きく前方へ引出した状態では、抽斗レールの水平部後端部が、上下一対のローラ間で遊びを生じてしまい、この遊びが、抽斗のガタつきを発生させる原因となり、抽斗をしっかりと保持しておく上での問題となる。このような問題を解消すべく、上下一対のローラのうち特に下ローラを前後方向に間隔をあけて複数設けることも考えられるが、上述の上下方向の遊びを解消することは不可能である。
【０００５】
したがって、本発明の目的は、抽斗を大きく前方へ引出したときに、抽斗をガタつきなくしっかりと保持できるようにした抽斗のダブルサスペンション装置を提供することにある。
【０００６】
前記課題を解決するために、本発明にあっては以下の構成としてある。すなわち、
抽斗収納筐体の内側面に固定レールが設けられ、
抽斗の外側面に抽斗レールが設けられ、
前記固定レールと抽斗レールとを、該固定レールと抽斗レールとにそれぞれスライド可能とされた移動レールによって連結してなる抽斗のダブルサスペンション装置において、
前記抽斗レールが、略水平に伸びる水平部を有し、
前記移動レールが、前記抽斗を前記抽斗収納筐体から大きく前方へ引き出した位置において、前記水平部の後端部上方に位置する上ガイド部材と、該水平部の後端部下方に位置して上下方向に揺動自在とされた単品ブラケットの保持部材とを有し、
前記保持部材は、その揺動中心よりも前方位置において、前記固定レールの下方部に当接して該保持部材の所定以上の下方への揺動を規制するストッパ部を有し、
前記保持部材には、前記ストッパ部よりも前方位置において、前記上ガイド部材と共働して前記水平部を上下方向から挟持するための下ガイド部材が保持されている、
ような構成としてある。
【０００７】
好ましくは、前記上ガイド部材とストッパ部と下ガイド部材とがそれぞれ、ローラにより構成される。
好ましくは、前記上ガイド部材が、前記抽斗レールの前後方向の移動に応じて前後方向に移動される遊びローラとして構成される。
【０００８】
【作用】
上述のような構成の抽斗のダブルサスペンション装置にあっては、抽斗を大きく前方へ引き出した際、抽斗の重量によって、固定レールに対して、移動レールの前端部が下方へまた後端部が上方へ変位するようなモ−メントを受け、ストッパ部が固定レールの前端部下面に強く当接されることになる。この状態で、固定レールは下方への移動が規制されているので、結局のところ、保持部材は、その揺動中心を中心にして、固定レールからストッパ部を介して上方へ持ち上げられるような力、つまり下ガイド部材が上方へ持ち上げられる力を受けることになり、上下のガイド部材同士でガタつきなく抽斗レールの水平部を挟持することになる。
【０００９】
また、下ガイド部材は、ストッパ部よりも前方つまり保持部材の揺動中心よりも遠い位置にあるので、下ガイド部材の上方への変位量が十分確保されることになり、上下のガイド部材同士で抽斗レールの水平部をしっかと挟持する上でより一層好ましいものとなる（保持部材の揺動角度が同じであれば、揺動中心から遠い位置ほど上下方向の変位量が大きくなる）。
【００１０】
【実施例】
以下、図面を参照して本発明の実施例につき詳細に説明する。
【００１１】
図１、図２において、１は固定レール、２は抽斗レール、３は移動レールである。固定レール１は抽斗収納筐体４の内側面に固定され、抽斗レール２は抽斗５の外側面に固定されている。そして、移動レール３は、固定レール１および抽斗レール２に対してそれぞれスライド可能に係合されて、該両レール１と２とを連結している。
【００１２】
固定レール１は、上下方向に伸びて抽斗収納筐体４に固定される取付片部１ａと、取付片部１ａの上下方向各端から略水平に延設された上下一対の水平部１ｂ、１ｃと、各水平部１ｂ、１ｃの先端から互いに近づくように上下方向に伸びる一対の折返し片部１ｄ、１ｅと、を有する。このような固定レール１は、鉄板等の金属プレ−トを折曲することにより構成される。
【００１３】
抽斗レール２は、抽斗５の外側面に固定される上下方向に伸びる取付片部２ａと、取付片部２ａの下端から略水平に伸びる水平部２ｂと、水平部２ｂ先端から下方へ伸びる折返し片部２ｃとを有する。このような抽斗レール２は、鉄板等の金属プレ−トを折曲することにより構成される。
【００１４】
移動レール３は、断面形状は固定レール１とほぼ同様に形成されているが、固定レール１内に嵌合される構造のため、固定レール１よりも断面が小さいものとして構成されている。この移動レール３は、上下方向にのびる本体片部３ａと、本体片部３ａの上下方向各端から略水平に延設された上下一対の水平部３ｂ、３ｃと、各水平部３ｂ、３ｃの先端から互いに近づくように上下方向に伸びる一対の折返し片部３ｄ、３ｅと、を有する。このような移動レール３は、鉄板等の金属プレ−トを折曲することにより構成される。
【００１５】
前記各レール１〜３は、それぞれ、抽斗５つまり抽斗収納筐体４の前後方向（抽斗４の引出し、収納方向）長さとほぼ等しい長さとされている。なお、固定レール１、移動レール３は、それぞれその側方開口部が抽斗５側を向くように配設される。
【００１６】
移動レール３には、複数のローラ１１〜１６が設けられている。ローラ１１は、移動レール３の前端部下部に位置されて、固定レール１の下水平部１ｃ上を転動可能とされ、抽斗５を大きく前方へ引き出した図１の状態では、固定レール１から離脱される。ローラ１２は、移動レール３の後端部上部に位置されて、固定レール１の上水平部１ｂの下面に対して転動可能とされる。ローラ１３は、ローラ１２よりも若干前方に位置されて、固定レール１の下水平部１ｃ上を転動可能とされる。
【００１７】
ローラ１４〜１６はそれぞれ、ローラ１１と１３との間の後述する所定位置に配設される。このうち、ローラ１４は、抽斗レール３の水平部３ｂの上方に位置され、ローラ１５と１６とは、水平部３ｂの下方に位置される。そして、下方の２つのローラ１５と１６とはそれぞれ、ブラケット１７に回転可能に保持され、このブラケット１７は、取付ピン１８によって、上下方向に揺動自在として移動レール３に取付けられている。上記ローラ１４が特許請求の範囲における上ガイド部材を構成し、ローラ１５が、特許請求の範囲における下ガイド部材を構成し、ローラ１６が特許請求の範囲におけるストッパ部を構成し、ブラケット１７が特許請求の範囲における保持部材を構成する。
【００１８】
前記ローラ１５、１６、ブラケット１７の組立体が、図３に示される。ブラケット１７は、鉄板等の金属プレ−トを折曲することにより、上方へ向けて開口された断面略コ字状として形成されて、下面１７ａと、左右一対の側壁部１７ｂ、１７ｃとを有する。側壁部１７ｂ、１７ｃの後端部に取付孔１７ｄが形成されて、この取付孔１７ｄに挿入された前記取付ピン１８の各端が、移動レール３の本体部３ａと下折返し部３ｅに保持される。これにより、ブラケット１７は、取付ピン１８を中心として、上下方向に揺動可能とされている。
【００１９】
ローラ１５は、ブラケット１７の前端部において、取付ピン１９によって回転可能に取付けられている。また、ローラ１６は、ローラ１５と揺動中心としての取付ピン１８との間において、取付ピン２０によって回転可能に取付けられている。ローラ１５、１６の位置に対応して、ブラケット１７の下面１７ａに、開口１７ｅ、１７ｆが形成されている。ローラ１５は、開口１７ｅを通して、下面１７ａよりも若干下方へ突出されている。ローラ１６は、開口１７ｆを通して、下面１７ａよりもかなり大きく下方へ突出されている。そして、各ローラ１５、１６は、ブラケット１７の上端よりも上方へ突出されている。
【００２０】
ブラケット１７に対応して、移動レール３の下水平部３ｃには切欠開口３ｆが形成されている（図１参照）。また、ブラケット１７の自由端部側には、切欠開口３ｆの開口縁部に当接して、ブラケット１７が所定以上下方へ揺動するのを規制するための係止段部１７ｇが形成されている（図１、図３参照）。そして、係止段部１７ｇが切欠開口３ｆの開口縁部に当接した状態では、ローラ１５、１６の下端が、移動レール３の下水平部３ｃよりも若干下方へ突出するように設定されている。
【００２１】
各ローラ１５、１６は、図４に示すように、円筒状の外輪部材３１と、該外輪部材３１の内孔３１ａに回転可能に嵌合された円筒状の内輪部材３２とから構成されて、内輪部材３２の内孔３２ａに取付ピン１９あるいは２０がきつく嵌合される。外輪部材３１と内輪部材３２とは、摩擦係数の小さいプラスチックにより構成されている。
【００２２】
ここで、抽斗５を大きく前方へ引き出した図１の状態において、上ガイド部材としてのローラ１４および下ガイド部材としてローラ１５はそれぞれ、固定レール１の前端よりも若干前方に位置され、各ローラ１４と１５との前後方向位置はほとんど同じとなるようにされている。また、ストッパ部としてのローラ１６は、固定レール１の前端よりも若干後方に位置される。
【００２３】
なお、実施例では、上ガイド部材としてのローラ１４は、いわゆる遊びローラとされて、移動レール３に対して前後方向に移動可能とされている。すなわち、抽斗５を大きく前方へ引き出したときは、図１の状態とされるが、この状態から抽斗５を抽斗収納筐体４内へ収納すべく後方へ移動させると、抽斗レール２の後方への移動に伴ってローラ１４が後方へ移動されることになる。なお、このような遊びローラ１４の案内機構は、従来より種々提案されているので、図示を略してある。
【００２４】
また、移動レール３は、所定ストロ−クだけ固定レール１に対して前後方向に移動可能であり、後方への所定以上の移動は、移動レール３の前端部に取付けたストッパ部材２１が固定レール１の前端面に当接することにより規制される。移動レール３の固定レール１に対する後方向への所定以上の移動を規制するストッパ機構は、図示を略してある。さらに、抽斗レール２は、移動レール３から所定以上前方へ相対移動するのが規制されるが、このためのストッパ機構も従来から種々提案されているので、図示を略してある。
【００２５】
次に、以上のような構成の作用について説明する。いま、抽斗５を大きく前方へ引き出した図１の状態においては、抽斗５の重量により、移動レール３には、図１中矢印Ａで示すようなモ−メントが発生する。このモ−メントは、移動レール３が固定レール１に対して、前端部が下方へ後端部が上方へ変位するような動きとなる。これにより、ストッパ部としてのローラ１６が、固定レール１（における下水平部１ｃ）の前端部に強く押し付けられる。一方、固定レール１は上下方向に不動であるので、ブラケット１７は、ローラ１６を介して固定レール１から相対的に上方への力を受けることになり、ブラケット１７は、図１矢印Ｂで示すように、取付ピン１８を中心にしてその前端部が上方へ変位するような揺動を行う。
【００２６】
ブラケット１７が、その前端部が上方へ変位するような揺動を行うことにより、下ガイド部材としてのローラ１５が、上方へ変位して、抽斗レール２の水平部２ｂを上方へつまり上ガイド部材としてのローラ１４に押し付ける。このようにして、抽斗レール２の水平部２ｂが、上下一対のローラ１４と１５とによりしっかりと挟持されることになる。
【００２７】
抽斗５を抽斗収納筐体４へ収納するときは、ローラ１５と１６とは、固定レール１の下水平部１ｃを転動して、移動レール３を固定レール１に対して滑らかに案内する。移動レール３の前端部に設けたストッパ部材２１が固定レール１の前端面に当接することにより、移動レール３の所定以上の後方への移動が規制される。
【００２８】
以上実施例について説明したが、本発明はこれに限らず、例えば次のような場合をも含むものである。
【００２９】
（１）上ガイド部材としてのローラ１４は、図１に示す位置において固定して、前後方向には移動不能として取付けてもよい。
【００３０】
（２）ローラ１４〜１６のうち、任意の１つ、あるいは任意の２つ、さらには３個全て、摩擦係数の小さい例えばプラスチック等のブロック材により構成するようにしてもよい（摺動案内となる）。
【００３１】
【発明の効果】
以上の説明から明らかなように、本発明によれば、抽斗を大きく前方へ引出したときに、抽斗をガタつきなくしっかりと保持できる抽斗のダブルサスペンション装置を提供することができる。
【図面の簡単な説明】
【図１】本発明の一実施例を示すもので、図２のＸ１−Ｘ１線相当断面図。
【図２】図１のＸ２−Ｘ２線相当断面図。
【図３】ストッパ部と下ガイド部材と保持部材との組立体を示す斜視図。
【図４】保持部材に取付けられるガイド部材としてのローラ部分を示す分解斜視図。
【符号の説明】
１：固定レール
１ｃ：下水平部（下面）
２：抽斗レール
２ｂ：水平部
３：移動レール
４：抽斗収納筐体
５：抽斗
１４：ローラ（上ガイド部材）
１５：ローラ（下ガイド部材）
１６：ローラ（ストッパ部）
１７：ブラケット（保持部材）
１８：取付ピン（揺動中心）
【図１】
0003614201.tif 000002
【図２】
0003614201.tif 000003
【図３】
0003614201.tif 000004
【図４】
0003614201.tif 000005